(57)【要約】【課題】  光源の電極に接続される電線に、断線が発生してしまうことを防止する。【解決手段】    枠体３の内部に引き込んだ電線８を、第３側縁３ｃと第１側縁３ａとの角部３ｄにおいて折曲して折曲部８ｂとした後、第１側縁３ａに沿って角部３ｄより離間した位置においてＣＦＬ管５の電極７と接続し、折曲部８ｂを、可撓性を有する被覆材１０により被覆する。【選択図】      図２
2006040695.tif 000002
【特許請求の範囲】
【請求項１】
枠体と、該枠体の少なくとも一側縁に沿うように配置される光源とを有し、前記光源の電極が前記一側縁と他側縁との角部に位置するように形成され、前記光源に電力を供給するための電線が、前記枠体の外部から、前記枠体の内側に引き込まれて前記電極と接続されているライトユニットにおいて、
前記電線が、前記角部において折曲され、前記一側縁に沿って前記角部より離間した位置において前記電極と接続されていることを特徴とするライトユニット。
【請求項２】
前記電線のうち前記角部において折曲されている部分が、可撓性を有する被覆材により被覆されている請求項１に記載のライトユニット。
【発明の詳細な説明】
【技術分野】
【０００１】
本発明は、液晶表示パネル等に照射光を照射するためのライトユニットに関する。
【背景技術】
【０００２】
一般に、液晶表示装置においては、液晶表示パネルに照射光を照射するためのライトユニットが備えられている。
【０００３】
図４は、従来のライトユニットの一部を示す模式的平面図、図５は図４のＣ−Ｃ線における模式的断面図である。
【０００４】
図４に示すように、従来のライトユニット１５においては、例えば矩形状の枠体１７における一側縁１７ａに沿って、光源としてＣＦＬ管１８（Cathode Fluorescent Lamp）が配置されており、ＣＦＬ管１８の電極１９は、ゴムキャップ３１によって被覆されているＣＦＬ管１８の端部から前記一側縁１７ａに沿って延出して形成されている。
【０００５】
また、ＣＦＬ管１８に電力を供給するための電線２１は、可撓性を有する被覆材２２によって被覆されており、枠体１７における前記一側縁１７ａに隣位する他側縁１７ｂにおいて、図５に示すように枠体１７の外部から枠体１７の内部に引き込まれ、前記他側縁１７ｂに沿って配置されるようになっている。電線２１の先端部は、被覆材２２から露出されており、枠体１７における一側縁１７ａと他側縁１７ｂとの角部１７ｃに位置してＣＦＬ管１８の電極１９と交差するようになっている。
【０００６】
そして、ＣＦＬ管１８の電極１９と電線２１とは、電極１９と電線２１の先端部との交差点においてはんだ２３を用いて接続されており、このライトユニット１５においては、図示しない外部電源から電線２１を介してＣＦＬ管１８に電力が供給されて、ＣＦＬ管１８が発光するようになっている。
【０００７】
しかし、前述のような従来のライトユニット１５によれば、電線２１は枠体１７において固定されておらず、枠体１７の外部において電線２１が動かされてしまうと、電線２１における枠体１７への引き込みの基端となる引き込み基端部２１ａを支点として、枠体に引き込まれた電線２１が動いてしまう問題があった。ここで、例えば、引き込み基端部２１ａに対して電線２１の配置方向と直交する方向に大きく動いてしまうと、この電線の動作による負荷が、角部１７ｃにおけるはんだ２３と電線２１との境界部分に集中することになる。そして、このような場合には、電線２１における前記境界部分において断線が生じてしまうおそれがあるという問題を有していた。
【発明の開示】
【発明が解決しようとする課題】
【０００８】
本発明はこれらの点に鑑みてなされたものであり、光源の電極に接続される電線に、断線が発生してしまうことを防止することができるライトユニットを提供することを目的とする。
【課題を解決するための手段】
【０００９】
前記目的を達成するため、請求項１に記載の発明に係るライトユニットの特徴は、枠体と、該枠体の少なくとも一側縁に沿うように配置される光源とを有し、前記光源の電極が前記一側縁と他側縁との角部に位置するように形成され、前記光源に電力を供給するための電線が、前記枠体の外部から、前記枠体の内側に引き込まれて前記電極と接続されているライトユニットにおいて、前記電線が、前記角部において折曲され、前記一側縁に沿って前記角部より離間した位置において前記電極と接続されている点にある。
【００１０】
この請求項１に記載の発明によれば、枠体の内部に引き込まれた電線は、一側縁と他側縁との角部において折曲され、一側縁に沿って前記角部より離間して、電極と接続されるようになっている。このため、従来と比較して、電線と電極とを、電線の枠体の内部に引き込まれる基端部である引き込み基端部から離間した位置において接続することができる。さらには、電線が動くことにより負荷が集中することとなる一側縁と他側縁との角部ではない位置において電線と電極とを接続させることができる。
【００１１】
また、請求項２に記載の発明に係るライトユニットの特徴は、前記電線のうち前記角部において折曲されている部分が、可撓性を有する被覆材により被覆されている点にある。
【００１２】
この請求項２に記載の発明によれば、電線のうち一側縁と他側縁との角部において折曲されている部分は、可撓性を有する被覆材によって被覆されているので、引き込み基端部が動くことによって前記折曲部に負荷が加わっても、その負荷が被覆材により緩衝されることとなる。
【発明の効果】
【００１３】
以上述べたように、請求項１に記載の発明に係るライトユニットによれば、枠体の外部において電線が動かされた結果、電線における引き込み基端部を支点として、枠体に引き込まれた電線が動いても、電線の動作による負荷がはんだと電線との境界部分に集中してしまうのを防止することができ、これにより、電線が断線してしまうのを防止することができるという効果を有する。
【００１４】
また、請求項２に記載の発明に係るライトユニットによれば、引き込み基端部が動くことによって、電線のうち一側縁と他側縁との角部において折曲されている部分に負荷が加わっても、その負荷が被覆材により緩衝されるので、電線における前記折曲された部分が容易に断線してしまうことを防止することができる。
【発明を実施するための最良の形態】
【００１５】
以下、本発明に係るライトユニットの一実施形態を図１から図３を参照して説明する。
【００１６】
図１は、本実施形態に係るライトユニットを示す模式的平面図であり、図１に示すように、ライトユニット１は、平面形状が矩形状の枠体３を有している。枠体３の第１側縁３ａおよび第１側縁３ａに隣位する第２側縁３ｂには、９０°に折曲された光源としての円筒形状のＣＦＬ管５が、第１側縁３ａおよび第２側縁３ｂに沿って配置されており、このＣＦＬ管５は、導光板２の２つの側面にそれぞれ対向するように設けられている。
【００１７】
また、図２に示すように、第１側縁３ａ側に位置するＣＦＬ管５の端部には電極７が設けられており、電極７は第１側縁３ａにおける左端部に位置するようにＣＦＬ管５より延出して形成されている。
【００１８】
また、ライトユニット１においては、図３に示すように、ＣＦＬ管５に対して電力を供給するための電線８が、枠体３における第１側縁３ａの左端部側に隣位する第３側縁３ｃにおいて、枠体３の内部に引き込まれている。詳しくは、電線８は、第３側縁３ｃのうち第１側縁３ａと第３側縁３ｃとの角部３ｄの近傍において、枠体３の側面から枠体３の内部に引き込まれており、この電線８における枠体３の内部への引き込みの基端となる部分は、電線８の引き込み基端部８ａとされている。この枠体３の内部に引き込まれた電線８は、枠体３の内部において枠体３に沿うようにほぼ９０°に折曲された後、第３側縁３ｃに沿って配置されるようになっている。
【００１９】
この電線８は、第１側縁３ａと第３側縁３ｃとの角部３ｄにおいてほぼ９０°に折曲されて折曲部８ｂとされており、そして、第１側縁３ａにほぼ沿うように引き込まれている。
【００２０】
この電線８は、樹脂材料等からなる可撓性の被覆材１０によって被覆されおり、電線８の先端部は、被覆材１０から露出されている。
【００２１】
そして、電線８の先端部は、電線８の配置方向が電極７の延出方向と平行となる位置において電極７と重なるように配置されており、電線８の先端部と電極７とは、この重なる位置においてはんだ１３を用いて接続されている。
【００２２】
第１側縁３ａ側に位置するＣＦＬ管５の端部および電線８の枠体３の内部に引き込まれている部分は、ゴムキャップ１１ａによって被覆されているとともに、第２側縁３ｂ側に位置するＣＦＬ管５の端部、およびＣＦＬ管５における第１側縁３ａと第２側縁３ｂとの角部３ｄにおける折曲部分も、それぞれゴムキャップ１１ｂ、１１ｃによって被覆されている。
【００２３】
次に、本実施形態の作用について説明する。
【００２４】
本実施形態によれば、枠体３内に引き込まれた電線８は、第３側縁３ｃに沿って配置された後、第１側縁３ａと第３側縁３ｃとの角部３ｄにおいて折曲されて、第１側縁３ａに沿うように引き込まれ、電線８の配置方向がＣＦＬ管５の電極７の延出方向と平行となる位置において、電極７と接続されるようになっている。このため、従来と比較して、電線８の先端部と電極７とを、電線８の引き込み基端部８ａから離間した位置において接続することができる。さらには、引き込み基端部８ａを支点として動いてしまうことによる負荷が集中することとなる第１側縁３ａと第３側縁３ｃとの角部３ｄより離間した位置において、電線８の先端部と電極７とを接続させることができる。
【００２５】
したがって、枠体３の外部において電線８が動かされた結果、電線８における引き込み基端部８ａを支点として、枠体３に引き込まれた電線８が動いてしまっても、その動作による負荷がはんだ１３と電線８との境界部分に集中してしまうのを防止することができ、これにより、電線８が断線してしまうのを防止することができるという効果を有する。
【００２６】
また、電線８の折曲部８ｂは、可撓性を有する被覆材１０によって被覆されているので、引き込み基端部８ａが動くことによって前記折曲部８ｂに負荷が加わっても、その負荷が被覆材１０により緩衝されることとなる。これにより、電線８の折曲部８ｂが容易に断線してしまうことを防止することができる。
【００２７】
なお、本発明は前記実施形態に限定されるものではなく、必要に応じて種々変更することが可能である。
【００２８】
例えば、本実施形態においては光源としてＬ字状のＣＦＬ管５を用いて説明したが、これに限定されるものではなく、直状のＣＦＬ管またはコ字状のＣＦＬ管の場合にも適用することができる。
【図面の簡単な説明】
【００２９】
【図１】本発明に係るライトユニットの一実施形態を示す模式的平面図
【図２】図１の矢印Ａが指示する部分を拡大した模式的平面図
【図３】図２のＢ−Ｂ線における模式的断面図
【図４】従来のライトユニットの要部を示す模式的平面図
【図５】図４のＣ−Ｃ線における模式的断面図
【符号の説明】
【００３０】
１  ライトユニット
２  導光板
３  枠体
３ａ  第１側縁
３ｂ  第２側縁
３ｃ  第３側縁
３ｄ  角部
５  ＣＦＬ管
７  電極
８  電線
８ａ  引き込み基端部
８ｂ  折曲部
１０  被覆材
１３  はんだ
【図１】
2006040695.tif 000003
【図２】
2006040695.tif 000004
【図３】
2006040695.tif 000005
【図４】
2006040695.tif 000006
【図５】
2006040695.tif 000007